(57)【特許請求の範囲】
【請求項１】
手摺の構成部材である支柱（以下、“手摺支柱”とする）の側、及び／又は該手摺支柱の下端部が埋設されてなるコンクリート部材の側に脆弱部がある場合に補修を行う、手摺の補修方法において、
前記手摺支柱の側の脆弱部を“支柱側脆弱部"とし、前記コンクリート部材の側の脆弱部を“コンクリート側脆弱部"とした場合に、
前記手摺を昇降させる手摺昇降装置を該手摺に沿って設置する昇降装置設置工程と、
前記手摺支柱を切断して前記手摺を前記コンクリート部材から切り離す手摺切断工程と、
前記支柱側脆弱部及び／又は前記コンクリート側脆弱部を除去するための作業スペースが前記手摺支柱と前記コンクリート部材との間に形成されるように、前記手摺昇降装置を操作して前記手摺を所定高さにまで上昇させて略固定する手摺上昇工程と、
前記支柱側脆弱部及び／又は前記コンクリート側脆弱部を除去する脆弱部除去工程と、
前記手摺昇降装置を操作して前記手摺を下降させる手摺下降工程と、
該手摺を前記コンクリート部材に固定する手摺設置工程と、
を備えたことを特徴とする手摺の補修方法。
【請求項２】
手摺の構成部材である支柱（以下、“手摺支柱”とする）の側、及び／又は該手摺支柱の下端部が埋設されてなるコンクリート部材の側に脆弱部がある場合に補修を行う、手摺の補修方法において、
前記手摺を昇降させる手摺昇降装置を該手摺に沿って設置する昇降装置設置工程と、
前記手摺支柱を切断して前記手摺を前記コンクリート部材から切り離す手摺切断工程と、
前記手摺昇降装置を操作して前記手摺を所定高さにまで上昇させる手摺上昇工程と、
前記コンクリート部材を掘削して、前記手摺支柱の側の脆弱部、及び／又は前記コンクリート部材の側の脆弱部を除去するコンクリート掘削工程と、
前記コンクリート部材の一部であって前記コンクリート掘削工程にて掘削されなかった部分にブラケット（以下、“支持用ブラケット”とする）を取り付けるブラケット取り付け工程と、
前記手摺昇降装置を操作して前記手摺を下降させる手摺下降工程と、
前記支持用ブラケットに新たな支柱（以下、“新設支柱”とする）を取り付ける新設支柱設置工程と、
前記新設支柱と前記手摺とを接続することにより該手摺を該新設支柱に支持させる手摺接続工程と、
前記コンクリート部材の掘削により形成された凹部を修復するコンクリート掘削部修復工程と、
を備えたことを特徴とする手摺の補修方法。
【請求項３】
前記コンクリート掘削工程にて行う前記コンクリート部材の掘削は、該コンクリート部材の側面に到達するまで行い、
前記コンクリート掘削部修復工程にて行う前記コンクリート部材の修復は、前記コンクリート部材の掘削により形成された凹部に生コンクリートかモルタルか樹脂を流し込むことにより行い、
前記支持用ブラケットは、前記側面の一部であって前記コンクリート部材の掘削により破壊された部分を閉塞するように取り付けて、前記生コンクリートか前記モルタルか前記樹脂を流し込む際に型枠として機能させる、
ことを特徴とする請求項２に記載の手摺の補修方法。
【請求項４】
前記手摺昇降装置は、前記コンクリート部材上に設置される基台と、該基台に支持されると共に前記手摺を上昇及び下降させることのできる昇降機構と、を有する、
ことを特徴とする請求項２又は３に記載の手摺の補修方法。
【請求項５】
前記手摺に沿うような仮設柵を前記基台に取り付ける、
ことを特徴とする請求項４に記載の手摺の補修方法。
【請求項６】
前記支持用ブラケットは、仮設足場を支持するための足場支持部を有する、
ことを特徴とする請求項２乃至５のいずれか1項に記載の手摺の補修方法。
【発明の詳細な説明】
【技術分野】
【０００１】
本発明は、手摺の構成部材である支柱の側、及び／又は該支柱の下端部が埋設されてなるコンクリート部材の側に脆弱部がある場合に補修を行う、手摺の補修方法に関する。
【背景技術】
【０００２】
従来、戸建て住宅や集合住宅や歩道橋等の多くの構造物においては、人や物の落下を防止したり人の歩行を補助したりする等のために手摺が設けられている。図６は、集合住宅における手摺の配置状態の一例を示す断面図であり、符号１００は集合住宅の外部廊下を示し、符号１０１はコンクリート部材（コンクリートスラブ）を示し、符号１０２は、該コンクリート部材１０１の端縁に立設された手摺を示す。
【０００３】
ところで、図６に示す構造物においては、前記手摺１０２の支柱（以下、“手摺支柱”とする）１２０の側や、該手摺支柱１２０の下端部が埋設されているコンクリート部材１０１の側に脆弱部が発生してしまう場合がある。例えば、該手摺支柱１２０をアルミ製とし、該手摺支柱１２０の内部にスチール製の芯材（不図示）を配置したような場合は、該手摺支柱１２０と該芯材との間に雨水などの水が浸入してしまうと該手摺支柱１２０と該芯材との間で電流が流れて該手摺支柱１２０が腐食してしまう場合がある。また、該手摺支柱１２０をアルミ製とした場合には、線膨張係数の違いからコンクリート部材にひび割れが生じてしまう場合もある。さらに、前記手摺１０２にスチール製の部材が使用されていると、該スチール製の部材が錆びてしまうこともある。
【０００４】
そして、上述のような脆弱部が発生した場合の修理方法については種々の方法が提案されている（例えば、特許文献１参照）。
【０００５】
図７は、手摺の補修方法の一例を示す斜視図であり、符号２２０は手摺支柱を示し、符号２２０Ｂは、該手摺支柱２２０の一部であって腐食していて除去された部分（以下、“除去部”とする）を示し、符号２２０Ａは、該除去部２２０Ｂの上方の部分（腐食しておらずに残された部分であり、以下“上部支柱”とする）を示し、符号２２０Ｃは、該除去部２２０Ｂの下方の部分（腐食しておらずに残された部分であり、以下“埋設支柱”とする）を示し、符号２２１は、前記上部支柱２２０Ａと前記埋設支柱２２０Ｃとを連結するように取り付けられる連結プレートを示し、符号２２２は、前記手摺支柱２２０の内部に挿入される鉄筋を示す。
【先行技術文献】
【特許文献】
【０００６】
【特許文献１】特開２００８−６３９３３号公報
【発明の概要】
【発明が解決しようとする課題】
【０００７】
ところで、前記手摺１０２を補修する際に、その設置箇所から手摺を取り去ってしまうと、安全対策上好ましく無いという問題があった。また、図７に示すような補修方法は、手摺支柱２２０の健全な部分（つまり、上述の埋設支柱２２０Ｃ）がベース部材（つまり、手摺支柱２２０の高さを確定する部材）として残っていることが前提である。したがって、そのようなベース部材が残っていない場合にはコンクリート部材を掘削してベース部材を新たに埋め込んで生コンクリートを打設等する必要があるが、その工事の間、前記手摺支柱２２０の高さは確定していないので該支柱２２０を何らかの治具で所定の高さに保持し続けておく必要があり、その分、作業が複雑化し、作業効率が悪くなってしまうという問題があった。
【０００８】
本発明は、上述の問題を解消することのできる手摺の補修方法を提供することを目的とするものである。
【課題を解決するための手段】
【０００９】
請求項１に係る発明は、図２(a) に例示するものであって、手摺（２）の構成部材である支柱（以下、“手摺支柱（２０）”とする）の側、及び／又は該手摺支柱（２０）の下端部が埋設されてなるコンクリート部材（１）の側に脆弱部がある場合に補修を行う、手摺の補修方法において、
前記手摺支柱（２０）の側の脆弱部を“支柱側脆弱部"とし、前記コンクリート部材（１）の側の脆弱部を“コンクリート側脆弱部"とした場合に、
前記手摺（２）を昇降させる手摺昇降装置（３）を該手摺（２）に沿って設置する昇降装置設置工程（図８のＳ１１参照）と、
前記手摺支柱（２０）を切断して前記手摺（２）を前記コンクリート部材（１）から切り離す手摺切断工程（図８のＳ１２参照）と、
前記支柱側脆弱部及び／又は前記コンクリート側脆弱部を除去するための作業スペースが前記手摺支柱（２０）と前記コンクリート部材（１）との間に形成されるように、前記手摺昇降装置（３）を操作して前記手摺（２）を所定高さにまで上昇させて（該上昇させた位置で）略固定する手摺上昇工程（図８のＳ１３参照）と、
前記支柱側脆弱部及び／又は前記コンクリート側脆弱部を除去する脆弱部除去工程（図８のＳ１４参照）と、
前記手摺昇降装置（３）を操作して前記手摺（２）を下降させる手摺下降工程（図８のＳ１５参照）と、
該手摺（２）を前記コンクリート部材（１）に固定する手摺設置工程（図８のＳ１６参照）と、を備えたことを特徴とする。
【００１０】
請求項２に係る発明は、図２(a) に例示するものであって、手摺（２）の構成部材である支柱（以下、“手摺支柱”とする）（２０）の側、及び／又は該手摺支柱（２０）の下端部が埋設されてなるコンクリート部材（１）の側に脆弱部がある場合に補修を行う、手摺の補修方法において、
図２(a) に例示するように、前記手摺（２）を昇降させる手摺昇降装置（３）を該手摺（２）に沿って設置する昇降装置設置工程（図１のＳ１参照）と、
図２(a) に矢印Ａで例示するように、前記手摺支柱（２０）を切断して前記手摺（２）を前記コンクリート部材（１）から切り離す手摺切断工程（図１のＳ２参照）と、
図２(b) 及び図３(a) に矢印Ｂ１で例示するように、前記手摺昇降装置（３）を操作して前記手摺（２）を所定高さにまで上昇させて略固定する手摺上昇工程（図１のＳ３参照）と、
図３(b) に例示するように、前記コンクリート部材（１）を掘削して、前記手摺支柱（２０）の側の脆弱部、及び／又は前記コンクリート部材（１）の側の脆弱部を除去するコンクリート掘削工程（図１のＳ４参照）と、
図４(a) に例示するように、前記コンクリート部材（１）の一部であって前記コンクリート掘削工程（Ｓ４）にて掘削されなかった部分にブラケット（以下、“支持用ブラケット”とする）（４）を取り付けるブラケット取り付け工程（図１のＳ５参照）と、
図４(a) に矢印Ｂ２で例示するように、前記手摺昇降装置（３）を操作して前記手摺（２）を下降させる手摺下降工程（図１のＳ６参照）と、
図４(b) に例示するように、前記支持用ブラケット（４）に新たな支柱（以下、“新設支柱”とする）（５）を取り付ける新設支柱設置工程（図１のＳ７参照）と、
前記新設支柱（５）と前記手摺（２）とを接続することにより該手摺（２）を該新設支柱（５）に支持させる手摺接続工程（図１のＳ８参照）と、
図４(b) に矢印Ｃで例示するように、前記コンクリート部材（１）の掘削により形成された凹部（１ｂ）を修復するコンクリート掘削部修復工程（図１のＳ９参照）と、を備えたことを特徴とする。
【００１１】
請求項３に係る発明は、図３(b) に例示するように、請求項２に係る発明において、前記コンクリート掘削工程（Ｓ４）にて行う前記コンクリート部材（１）の掘削を、該コンクリート部材（１）の側面（１ａ）に到達するまで行い、
前記コンクリート掘削部修復工程（Ｓ９）にて行う前記コンクリート部材（１）の修復は、前記コンクリート部材（１）の掘削により形成された凹部（１ｂ）に生コンクリートかモルタルか樹脂を流し込むことにより行い、
前記支持用ブラケット（４）は、図４(a) (b) に例示するように、前記側面（１ａ）の一部であって前記コンクリート部材（１）の掘削により破壊された部分を閉塞するように取り付けて、前記生コンクリート（不図示）か前記モルタルか前記樹脂を流し込む際に型枠として機能させることを特徴とする。
【００１２】
請求項４に係る発明は、請求項２又は３に係る発明において、図２(a) (b) に例示するように、前記手摺昇降装置（３）が、前記コンクリート部材（１）上に設置される基台（３１）と、該基台（３１）に支持されると共に前記手摺（２）を上昇及び下降させることのできる昇降機構（３２）と、を有することを特徴とする。
【００１３】
請求項５に係る発明は、請求項４に係る発明において、前記手摺（２）に沿うような仮設柵（図２(a) (b) の符号３３参照）を前記基台（３１）に取り付けることを特徴とする。
【００１４】
請求項６に係る発明は、請求項２乃至５のいずれか１項に記載の発明において、図４(a) (b) に例示するように、前記支持用ブラケット（４）が、仮設足場（不図示）を支持するための足場支持部（４ａ）を有することを特徴とする。
【００１５】
なお、括弧内の番号などは、図面における対応する要素を示す便宜的なものであり、従って、本記述は図面上の記載に限定拘束されるものではない。
【発明の効果】
【００１６】
請求項１に係る発明によれば、前記手摺を補修している間、該手摺はほぼ元の設置場所（正確には、元の設置場所から所定高さにまで上昇された位置）に配置されて略固定されているので、該手摺が落下防止のための安全柵として機能することとなる。
【００１７】
請求項２及び４に係る発明によれば、前記手摺を補修している間、該手摺はほぼ元の設置場所（正確には、元の設置場所から所定高さにまで上昇された位置）に配置されて略固定されているので、該手摺が落下防止のための安全柵として機能することとなる。また、前記支持用ブラケット及び前記新設支柱によって前記手摺の支持を行うようになっているので、前記コンクリート掘削部修復工程を実施する時点では該手摺の高さは確定している。したがって、該手摺の高さ調整に配慮せずに、後工程の工事を進めることが出来、作業の簡素化及び効率化を図ることができる。
【００１８】
請求項３に係る発明によれば、前記コンクリート部材の側面の側に型枠（型枠としての専用部材）を配置する必要が無く、また、前記コンクリート掘削部修復工程の後に該型枠を取り外す必要も無い。つまり、前記ブラケット取り付け工程が終了した時点で前記側面の側の作業（つまり、前記手摺の外側での作業）は全て終了し、残された作業は前記手摺の内側での作業のみとなるので、作業が簡素化され、作業効率も向上することとなる。
【００１９】
請求項５に係る発明によれば、前記手摺が前記コンクリート部材から切り離された状態でも該仮設柵が設置されているので、人や物の落下等を防止することが出来る。
【００２０】
請求項６に係る発明によれば、将来、外壁修繕工事等で仮設足場を設置する必要が生じるような場合は、前記足場支持部を利用して仮設足場を設置することが出来、地上から足場を組み立てる必要が無く、作業コストを削減等することができる。
【図面の簡単な説明】
【００２１】
【図１】図１は、本発明に係る手摺の補修方法の一例を示すフローチャート図である。
【図２】図２(a) は、昇降装置設置工程を実施した様子の一例を示す断面図であり、同図(b) は、手摺上昇工程を実施する様子の一例を示す断面図である。
【図３】図３(a) は、手摺上昇工程を実施する様子の一例を示す斜視図であり、同図(b) は、コンクリート掘削工程を実施した様子の一例を示す斜視図である。
【図４】図４(a) は、ブラケット取り付け工程を実施した様子の一例を示す斜視図であり、同図(b) は、新設支柱設置工程を実施した様子の一例を示す斜視図である。
【図５】図５(a) は、補修された後の手摺等の状態を示す斜視図であり、同図(b) は、手摺支柱の下端部の様子の一例を示す斜視図である。
【図６】図６は、集合住宅における手摺の配置状態の一例を示す断面図である。
【図７】図７は、手摺の補修方法の一例（従来例）を示す斜視図である。
【図８】図８は、本発明に係る手摺の補修方法の一例を示すフローチャート図である。
【発明を実施するための形態】
【００２２】
以下、図１乃至図５に沿って、本発明の実施の形態について説明する。
【００２３】
本発明に係る手摺の補修方法は、図２(a) 等に例示するものであって、手摺２の構成部材である支柱（以下、“手摺支柱”とする）２０の側、及び／又は該手摺支柱２０の下端部が埋設されてなるコンクリート部材（例えば、コンクリートスラブやコンクリート床版）１の側に脆弱部がある場合に補修を行う方法である。また、本発明に係る手摺の補修方法は少なくとも次の工程を備えている。なお、前記手摺支柱２０の側の脆弱部を“支柱側脆弱部"とし、前記コンクリート部材１の側の脆弱部を“コンクリート側脆弱部"とする。
・  前記手摺２を昇降させる手摺昇降装置３を該手摺２に沿って設置する昇降装置設置工程（図８のＳ１１参照）
・  前記手摺支柱２０を切断して前記手摺２を前記コンクリート部材１から切り離す手摺切断工程（図８のＳ１２参照）
・  前記支柱側脆弱部及び／又は前記コンクリート側脆弱部を除去するための作業スペース（工具及び作業者の手や腕が入る程度のスペースであって、例えば２００ｍｍ程度の高さのスペース）が前記手摺支柱２０と前記コンクリート部材１との間に形成されるように、前記手摺昇降装置３を操作して前記手摺２を所定高さにまで上昇させて略固定する手摺上昇工程（図８のＳ１３参照）
・  前記支柱側脆弱部及び／又は前記コンクリート側脆弱部を除去する脆弱部除去工程（図８のＳ１４参照）
・  前記手摺昇降装置３を操作して前記手摺２を下降させる手摺下降工程（図８のＳ１５参照）
・  該手摺２を前記コンクリート部材１に固定する手摺設置工程（図８のＳ１６参照）
【００２４】
この場合、前記手摺設置工程Ｓ１６における前記手摺２の前記コンクリート部材１への固定は、
・  後述するように、前記コンクリート部材１が掘削された部分（凹部１ｂ）に埋め込んだ鉄鋼製の部材（アンカー部材）７と、前記コンクリート部材１に取り付けられる支持用ブラケット４と、該支持用ブラケット４に取り付けられると共に前記手摺２に接続される新設支柱５と、により行うようにしても、
・  前記支持用ブラケット４や前記新設支柱５は設けずに、前記アンカー部材７だけで行うようにしても、
・  前記アンカー部材７は設けずに、前記支持用ブラケット４と前記新設支柱５とにより行うようにしても、
・  前記コンクリート部材１を掘削せずに、該掘削していないコンクリート部材１の表面に配置した何らかの部材を介して行うようにしても、或いは、
・  何らかの部材を一切追加することなく、前記手摺支柱２０を前記コンクリート部材１に埋め込むようにしても、
いずれでも良い。
【００２５】
上述の補修方法によれば、前記手摺２を補修している間、該手摺２はほぼ元の設置場所（正確には、元の設置場所から所定高さにまで上昇された位置）に配置されて略固定されているので、該手摺２が落下防止のための安全柵として機能することとなる。なお、ここで、“略固定"とは、
・  前記手摺２が全く動かないように固定する態様
・  前記手摺２が多少は動くが人の落下を阻止することができるような態様
の両方の概念を含むものである。また、該手摺２は、図２(a) に符号３４で示す部材（例えば、手摺２を吊り下げるロープ）、及び符号１３で示す部材（例えば、脱着自在であって前記手摺昇降装置３と前記手摺２とを接続するブラケット）により略固定するようにすると良い。
【００２６】
本発明に係る手摺の補修方法は、図２(a) 等に例示するものであって、手摺２の構成部材である支柱（以下、“手摺支柱”とする）２０の側、及び／又は該手摺支柱２０の下端部が埋設されてなるコンクリート部材（例えば、コンクリートスラブやコンクリート床版）１の側に脆弱部がある場合に補修を行う方法である。また、本発明に係る手摺の補修方法は少なくとも次の工程を備えている。すなわち、
（１）  図２(a) に例示するように、前記手摺２を昇降させる装置（以下、“手摺昇降装置"とする）３を該手摺２に沿って設置する昇降装置設置工程（図１のＳ１参照）
（２）  前記手摺支柱２０を切断して前記手摺２を前記コンクリート部材１から切り離す手摺切断工程（図２(a) の矢印Ａ、及び図１のＳ２参照）
（３）  前記手摺昇降装置３を操作して前記手摺２を所定高さ（例えば、２００ｍｍ程度高い高さ）にまで上昇させて該上昇させた位置で略固定する手摺上昇工程（図１のＳ３、並びに図２(b) 及び図３(a) の矢印Ｂ１参照）
（４）  図３(b) に例示するように、前記コンクリート部材１を掘削して、前記手摺支柱２０の側の脆弱部（例えば、腐食した部分やひび割れした部分など）、及び／又は前記コンクリート部材１の側の脆弱部（例えば、腐食した部分やひび割れした部分など）を除去するコンクリート掘削工程（図１のＳ４参照）
（５）  図４(a) に例示するように、前記コンクリート部材１の一部であって前記コンクリート掘削工程Ｓ４にて掘削されなかった部分にブラケット（以下、“支持用ブラケット”とする）４を取り付けるブラケット取り付け工程（図１のＳ５参照）
（６）  図４(a) に矢印Ｂ２で例示するように、前記手摺昇降装置３を操作して前記手摺２を下降させる手摺下降工程（図１のＳ６参照）
（７）  図４(b) に例示するように、前記支持用ブラケット４に新たな支柱（以下、“新設支柱”とする）５を取り付ける新設支柱設置工程（図１のＳ７参照）
（８）  前記新設支柱５と前記手摺２とを接続することにより該手摺２を該新設支柱５に支持させる手摺接続工程（図１のＳ８参照）
（９）  前記コンクリート部材１の掘削により形成された凹部（コンクリート掘削部）１ｂを修復するコンクリート掘削部修復工程（図１のＳ９参照）
【００２７】
本発明によれば、前記手摺２を補修している間、該手摺２はほぼ元の設置場所（正確には、元の設置場所から所定高さにまで上昇された位置）に配置されて略固定されているので、該手摺２が落下防止のための安全柵として機能することとなる。また、前記支持用ブラケット４及び前記新設支柱５によって前記手摺２の支持を行うようになっているので、前記コンクリート掘削部修復工程Ｓ９を実施する時点では既に該手摺２の高さは確定している。したがって、該手摺２の高さ調整に配慮せずに、後工程の工事を進めることが出来、その分、作業の簡素化及び効率化を図ることができる。
【００２８】
なお、各工程Ｓ１〜Ｓ９を実施する順序を図１に記載の順序に限定する趣旨ではなく、必要に応じて適宜実施順序を変えても良い。例えば、図１の例では、コンクリート掘削工程Ｓ４→ブラケット取り付け工程Ｓ５→手摺下降工程Ｓ６の順で各工程を実施しているが、コンクリート掘削工程Ｓ４→手摺下降工程Ｓ６→ブラケット取り付け工程Ｓ５の順で各工程を実施しても良い。また、例えば、図１の例では、手摺下降工程Ｓ６→新設支柱設置工程Ｓ７→手摺接続工程Ｓ８→コンクリート掘削部修復工程Ｓ９の順で各工程を実施しているが、コンクリート掘削部修復工程Ｓ９→手摺下降工程Ｓ６→新設支柱設置工程Ｓ７→手摺接続工程Ｓ８の順で各工程を実施しても良い。また、前記コンクリート掘削部修復工程Ｓ９による修復方法としては、・  前記コンクリート部材１の掘削により形成された凹部１ｂに生コンクリートかモルタルか樹脂を流し込む方法や、
・  前記コンクリート部材１の掘削により形成された凹部１ｂをプレート（例えば、鋼板）で覆う方法
を挙げることができる。
【００２９】
一方、上述の手摺昇降装置３は、図２(a) 及び(b) に示すように、
・  前記コンクリート部材１上に設置される基台３１と、
・  該基台３１に支持されると共に前記手摺２を上昇及び下降させることのできる昇降機構３２と、
により構成すると良い。ここで、図２(a) 及び(b) 中の基台３１は、天井部分と床部分との間に立設されたポール部材であるが、もちろんこれに限られるものではなく、他の形状としても良い。また、前記昇降機構３２は、ラチェット方式のもの（つまり、レバーの往復運動をラチェットにより一方向の回転運動に変換してロープ３４を巻き上げたり下ろしたりする方式のもの）としても他の方式のものとしてもどちらでも良い。
【００３０】
また一方、上述の基台３１には、前記手摺２に沿うような仮設柵（例えばパイプ等）３３を取り付けるようにしておき、手摺の補修工事が終了した時点で該仮設柵３３を撤去できるようにしても良い。
【００３１】
さらに、上述のコンクリート掘削工程Ｓ４にて行う前記コンクリート部材１の掘削を、該コンクリート部材１の側面（外側面）１ａに到達するまで行い（図３(b) 参照）、前記コンクリート掘削部修復工程Ｓ９にて行う前記コンクリート部材１の修復は、前記コンクリート部材１の掘削により形成された凹部１ｂに生コンクリートかモルタルか樹脂を流し込むことにより行い、前記支持用ブラケット４は、前記側面１ａの一部であって前記コンクリート部材１の掘削により破壊された（削られた）部分を閉塞するように取り付けて、前記生コンクリートか前記モルタルか前記樹脂を流し込む際に型枠として機能させるようにすると良い。そのようにした場合には、該コンクリート部材１の側面１ａの側に型枠専用部材を配置する必要が無く、また、前記コンクリート掘削部修復工程Ｓ９の後に該型枠を取り外す必要も無い。つまり、前記ブラケット取り付け工程Ｓ５が終了した時点で前記側面１ａの側の作業（すなわち、前記手摺２の外側での作業）は全て終了し、残された作業は前記手摺２の内側での作業のみとなるので、作業が簡素化され、作業効率も向上することとなる。なお、図４(a) 及び(b) 中の符号６は、前記外側面１ａとは反対側の側面（つまり、内側面）に設置された型枠専用部材を示している。この型枠専用部材６は前記凹部１ｂに流し込んだコンクリート等が硬化した後に取り外されることとなる。
【００３２】
ところで、前記支持用ブラケット４には、不図示の仮設足場を支持するための足場支持部（例えば、図４(a) 及び(b) 中に符号４ａで示すようなボルト孔）を設けておくと良い。そのようにした場合には、将来、外壁修繕工事等で仮設足場を設置する必要が生じるような場合は、前記足場支持部４ａを利用して仮設足場を設置することが出来、地上から足場を組み立てる必要が無く、作業コストを削減等することができる。
【００３３】
一方、図４(a) 及び(b) に示す例では、コンクリートが掘削された部分（つまり、前記凹部１ｂ）に鉄鋼製の部材（アンカー部材）７を埋め込んで該アンカー部材７により手摺支柱２０を支持するようになっており、前記新設支柱５と前記手摺支柱２０の両方によって手摺全体の荷重を支持するようになっている。例えば、前記新設支柱５で手摺全体の荷重の大半（例えば、９割）を支持し、前記手摺支柱２０で残りの荷重（例えば、１割）を支持するようにすると良い。なお、図３(b)
中の符号９や１０で示す部材（シース管等）は必要に応じて撤去すると良い。また、上述のようなアンカー部材７を配置せずに前記手摺支柱２０による荷重支持を行わず、手摺全体の荷重を前記新設支柱５だけで支持するようにしても良い。さらに、図４(a)
中の符号１２は、前記アンカー部材７に載置されていてパイプ状の前記手摺支柱２０に挿入するための部材を示し、図４(b) 中の符号１１は、前記新設支柱５を手摺２に接続するための部材を示す。
【００３４】
なお、上述の新設支柱５としてはアルミ製のものを使用することが好ましいが、アルミ製以外の支柱を排除するものでは無い。また、該新設支柱５には、柱状や棒状の部材だけでなく、その他の形状の部材を用いても良い。さらに、図５(a) 及び(b) に符号８で例示するように、前記手摺支柱２０の下端部にはカバー部材（例えば、プラスチック製や鋳物製のもの）を配置して、該下端部の切断部分を隠すようにしても良い。またさらに、図４(b)
及び図５(a) (b) では、前記新設支柱５を前記手摺支柱２０に接続しているが、もちろんこれに限られるものではなく、該手摺支柱２０以外の部分（手摺２の部分）に該新設支柱５を接続するようにしても良い。
【符号の説明】
【００３５】
１              コンクリート部材
１ａ            コンクリート部材の側面
１ｂ            凹部
２              手摺
３              手摺昇降装置
４              支持用ブラケット
４ａ            足場支持部
５              新設支柱
２０            手摺支柱
３１            基台
３２            昇降機構
３３            仮設柵
【図１】
0005746984.tif 000002
【図２】
0005746984.tif 000003
【図３】
0005746984.tif 000004
【図４】
0005746984.tif 000005
【図５】
0005746984.tif 000006
【図６】
0005746984.tif 000007
【図７】
0005746984.tif 000008
【図８】
0005746984.tif 000009